(57)【要約】【課題】電力量を計量させることなく、安全かつ容易に電力量計の接続状態の確認をおこなうこと。【解決手段】電源に接続される第１の端子１Ｓ、２Ｓ、３Ｓと負荷に接続される第２の端子１Ｌ、２Ｌ、３Ｌとの間に設けられ、電源から負荷に流れた電流に基づいて電力量の積算値を計量する計量部３０１と、第１の端子１Ｓ、２Ｓ、３Ｓと計量部３０１との間に設けられ、第１の端子１Ｓ、２Ｓ、３Ｓおよび計量部３０１を電気的に遮断可能に接続するブレーカー部４００（第１のブレーカー部４１０）と、を備えた電力量計１００とした。【選択図】図４
2010169531.tif 000002
【特許請求の範囲】
【請求項１】
電源に接続される第１の端子と負荷に接続される第２の端子との間に設けられ、前記電源から前記負荷に流れた電流に基づいて電力量の積算値を計量する計量部と、
前記第１の端子と前記計量部との間に設けられ、前記第１の端子および前記計量部を電気的に遮断可能に接続するブレーカー部と、
を備えたことを特徴とする電力量計。
【請求項２】
前記計量部は、
金属材料を用いて円板形状に形成され、円板形状の中心に設けられた回動軸を回動中心として回動可能に設けられた回転円盤部材と、
前記回転円盤部材の一面側に設けられて、磁心が前記回転円盤部材の回動中心に一致するように配置された電圧コイルと、
前記回転円盤部材の他面側に設けられて、磁心が前記回転円盤部材の回動中心に一致するように配置された電流コイルと、を備え、
供給された電力量にしたがって回転する前記回転円盤部材の回転量に基づいて電力量の積算値を計量することを特徴とする請求項１に記載の電力量計。
【請求項３】
表示画面を有し、当該表示画面を制御して前記計量部が計量した電力量の積算値に関する情報を表示する表示部を備え、
前記計量部は、
供給された電力における電圧レベルおよび電流レベルを、前記第１の端子および前記第２の端子間に構成される電子回路の電圧レベルおよび電流レベルに変換する入力変換部と、
前記入力変換部によって変換された電圧レベルおよび電流レベルに基づいた乗算処理によって、供給された電力量に比例したパルス信号を生成する乗算処理部と、
前記乗算処理部が生成したパルス信号のクロック周波数を当該クロック周波数よりも低い所定のクロック周波数に変換する分周回路部と、を備え、
前記分周回路部が前記所定のクロック周波数に変換したパルス信号に基づく積分処理をおこなって電力量の積算値を計量することを特徴とする請求項１に記載の電力量計。
【請求項４】
前記ブレーカー部は、前記第１の端子および前記計量部を電気的に接続する位置と、前記第１の端子および前記計量部を電気的に遮断する位置と、に選択的に位置付けられるレバー部材を備え、
前記レバー部材は、当該レバー部材の動作を規制する規制部材が取り付けられる規制部材取付部を備えたことを特徴とする請求項１〜３のいずれか一つに記載の電力量計。
【請求項５】
前記ブレーカー部は、前記第１の端子と前記計量部との間に設けられ、前記第１の端子および前記計量部を電気的に遮断可能に接続する第１のブレーカー部と、前記第２の端子と前記計量部との間に設けられ、前記第２の端子および前記計量部を電気的に遮断可能に接続する第２のブレーカー部と、を備えたことを特徴とする請求項１〜４のいずれか一つに記載の電力量計。
【請求項６】
前記第１の端子および前記第２の端子はそれぞれ複数設けられており、
前記第１のブレーカー部および前記第２のブレーカー部の少なくとも一方は、前記複数の端子と前記計量部とを一括して電気的に遮断可能に接続することを特徴とする請求項５に記載の電力量計。
【請求項７】
前記第２のブレーカー部は、前記負荷を前記電源から切り離す負荷遮断機能を備えたことを特徴とする請求項６に記載の電力量計。
【請求項８】
電力量計の接続状態を確認する接続状態確認方法であって、
電源に接続される第１の端子と負荷に接続される第２の端子との間に設けられ、前記電源から前記負荷に流れた電流に基づいて電力量の積算値を計量する計量部と、
前記第１の端子と前記計量部との間に設けられ、前記第１の端子および前記計量部を電気的に遮断可能に接続するブレーカー部と、を備えた電力量計を用いて、
前記ブレーカー部によって前記第１の端子および前記計量部を電気的に遮断した状態における、前記第１の端子および前記第２の端子における充電状態によって前記電力量計の接続状態を示すことを特徴とする接続状態確認方法。
【発明の詳細な説明】
【技術分野】
【０００１】
この発明は、接続された負荷に供給された電力量を計量する電力量計および当該電力量計の接続状態確認方法に関する。
【背景技術】
【０００２】
電力量計は、電力量計を通過した電力の量を計量する電気計器であって、メーターなどと称されている。電力量計は、当該電力量計を通過した電力Ｐ［Ｗ］を時間ｔ［ｈ］の単位で積算することによって、電力量［Ｗｈ］（＝電力Ｐ［Ｗ］×時間ｔ［ｈ］）を計量している。一般家庭においては、交流電力のうち有効電力を積算して計量する電力量計、いわゆる誘導型（機械式）電力量計が設置されていることが多い。有効電力は、たとえば家電製品の稼働などの負荷によって実際に消費した電力であり、電力料金請求の対象量とされている。
【０００３】
誘導型電力量計（以下「電力量計」という）は、電力量計の筐体内部に、電力の使用にともなって回転する円盤を備えている。このような電力量計が備える円盤は、同時に使用する電力の大きさによって回転速度が速くなったり遅くなったりする。電力量計は、電気の使用量（ｋＷｈ）を示す文字盤を備えている。この文字盤には、円盤の回転数にしたがって積算された電力量が示される。
【０００４】
従来、電力量計の設置に際しては、家屋の壁などの所定の位置に電力量計を取り付け、取り付けた電力量計を引込線および屋内配線のそれぞれと接続する。そして、接続後の電力量計における円盤の回転方向を視認することによって、電力量計の接続方向が正しく、電力量計が正しく動作しているかどうかを確認していた。
【０００５】
また、従来、電力量計の設置対象となる家屋が建築中の新築家屋である場合など、電力量計を設置したにもかかわらず当該電力量計を通過した電力を使用する負荷となる設備がない場合は、負荷試験器を用いて模擬的に負荷を発生させ、電力量計に電流を流すことによって、電力量計が正しく動作しているかどうかを確認していた。
【０００６】
電力量計においては、電力量計に負荷試験器を接続するための試験用の端子が並列して設けられているものがあった。このような電力量計を設置する場合、当該電力量計が正しく動作しているかどうかの確認作業に際して、並列して設けられている試験用の端子のそれぞれに、負荷試験器におけるプラス側およびマイナス側の２つの端子を接触させる。これによって、負荷試験器を介して試験用の端子どうしが電気的に接続され、負荷試験器に電気を通して負荷を発生させることができる。
【０００７】
負荷試験器においては、試験用の端子に接続する端子にワニ口クリップが設けられているものがあり、このような負荷試験器を電力量計の接続状態を確認する接続状態確認作業に際して用いる場合は、試験用の端子をワニ口クリップで挟むことによって負荷試験器に電気を通し、負荷を発生させるようにしていた。
【先行技術文献】
【特許文献】
【０００８】
【特許文献１】特開２００７−３３３４４６号公報
【発明の概要】
【発明が解決しようとする課題】
【０００９】
しかしながら、上述した従来の技術のように、電力量計を設置した場所に当該電力量計を通過した電力を使用する負荷となる設備がないために、負荷試験器を用いて模擬的に負荷を発生させるために使用した電力の料金は、電力量計を設置した電力会社などの業者側の負担ではなく、電力量計が設置された施設側すなわち電力会社などの業者にとってのお客様の負担となる。従来、電力量計の設置に際しては、お客様に対して、当該お客様が使用していない電力料金を負担させることになってしまっているのが現状であった。
【００１０】
また、電力量計においては、電力量計に負荷試験器を接続する試験用の端子どうしの間隔が狭い。このような電力量計を、たとえば家屋の裏側や隣接する家屋との間などのように狭い場所に設置する場合、接続状態確認作業に際しての良好な作業環境を確保することが難しいことがある。このような場合、接続状態確認作業に際して、作業者は、狭い作業環境に手を差し入れるなどの無理な体勢を取らざるをえない。そして、作業者が無理な体勢で作業をおこなうことにより、負荷試験器の端子をワニ口クリップで挟む際に誤って１度に複数の端子接触し、試験用の端子どうしが短絡してしまう危惧があった。
【００１１】
この発明は、上述した従来技術による問題点を解消するため、電力量を計量させることなく、安全かつ容易に電力量計の接続状態の確認をおこなうことができる電力量計および当該電力量計の接続状態確認方法を提供することを目的とする。
【課題を解決するための手段】
【００１２】
上述した課題を解決し、目的を達成するため、この発明にかかる電力量計は、電源に接続される第１の端子と負荷に接続される第２の端子との間に設けられ、前記電源から前記負荷に流れた電流に基づいて電力量の積算値を計量する計量部と、前記第１の端子と前記計量部との間に設けられ、前記第１の端子および前記計量部を電気的に遮断可能に接続するブレーカー部と、を備えたことを特徴とする。
【００１３】
この発明によれば、電力量計が正しく接続されている状態で、ブレーカー部によって第１の端子および計量部を電気的に遮断した場合、第１の端子が充電状態となり、第２の端子が非充電状態となる。このため、第１の端子および第２の端子のそれぞれに対する検電をおこなうことによって電力量計の接続状態を確認することができるので、計量部に対して電力を供給することなく、すなわち電力量を計量させることなく電力量計の接続状態を確認することができる。
【００１４】
また、この発明によれば、電力量計の接続状態の確認作業に際しては、汎用的な検電器を用いて第１の端子および第２の端子のそれぞれに対する検電をおこなうことによって電力量計の接続状態を確認することができるので、接続方向の確認作業の容易化を図ることができる。
【００１５】
また、この発明によれば、ブレーカー部によって第１の端子および計量部を電気的に遮断した状態で、第１の端子および第２の端子に対する検電をそれぞれ個別におこなうことにより、電力量計の接続状態を確認することができるので、端子間における短絡および端子間における短絡を原因とする事故の発生をなくし、接続方向の確認作業に際しての安全性の向上を図ることができる。
【００１６】
また、この発明にかかる電力量計は、上記の発明において、前記計量部が、金属材料を用いて円板形状に形成され、円板形状の中心に設けられた回動軸を回動中心として回動可能に設けられた回転円盤部材と、前記回転円盤部材の一面側に設けられて、磁心が回転円盤部材の回動中心に一致するように配置された電圧コイルと、前記回転円盤部材の他面側に設けられて、磁心が前記回転円盤部材の回動中心に一致するように配置された電流コイルと、を備え、供給された電力量にしたがって回転する前記回転円盤部材の回転量に基づいて電力量の積算値を計量することを特徴とする。
【００１７】
このように、電力量計が誘導型電力量計である場合は、ブレーカー部によって第１の端子と計量部とを電気的に遮断した状態においては、第１の端子が充電状態となり、第２の端子が非充電状態となる。
【００１８】
この発明によれば、汎用的な誘導型電力量計における計量部と端子部との間に、ブレーカー部を設けることによって、電力量を計量させることなく電力量計の接続状態を確認することができ、接続方向の確認作業に際しての安全性の向上を図り、接続方向の確認作業に際しての安全性の向上を図ることができる電力量計を、既存の誘導型電力量計の構成を大きく変更することなく実現することができる。
【００１９】
また、この発明にかかる電力量計は、上記の発明において、表示画面を有し、当該表示画面を制御して前記計量部が計量した電力量の積算値に関する情報を表示する表示部を備え、前記計量部が、供給された電力における電圧レベルおよび電流レベルを、前記第１の端子および前記第２の端子間に構成される電子回路の電圧レベルおよび電流レベルに変換する入力変換部と、前記入力変換部によって変換された電圧レベルおよび電流レベルに基づいた乗算処理によって、供給された電力量に比例したパルス信号を生成する乗算処理部と、前記乗算処理部が生成したパルス信号のクロック周波数を当該クロック周波数よりも低い所定のクロック周波数に変換する分周回路部と、前記分周回路部が前記所定のクロック周波数に変換したパルス信号に基づく積分処理をおこなって電力量の積算値を計量することを特徴とする。
【００２０】
このように、電力量計が電子式電力量計である場合は、第２の端子に負荷を接続せずブレーカー部によって第１の端子と計量部とを電気的に接続した状態において、電力量の積算値に関する情報として「無計量」であることを示す情報が表示画面に表示され、ブレーカー部によって第１の端子と計量部とを電気的に遮断して計量部に対する電力の供給を停止した場合、電力量の積算値に関する情報として「停電」であることを示す情報が表示画面に表示される。
【００２１】
この発明によれば、汎用的な電子式電力量計における計量部と端子部との間に、ブレーカー部を設けることによって、電力量を計量させることなく電力量計の接続状態を確認することができ、接続方向の確認作業に際しての安全性の向上を図り、接続方向の確認作業に際しての安全性の向上を図ることができる電力量計を、既存の電子式電力量計の構成を大きく変更することなく実現することができる。
【００２２】
また、この発明によれば、電圧変動、電流変動、周波数変動の影響を受けず、設置された電力量計の傾斜角度にかかわらず電力量を計量できる電子式電力量計の利点を維持した状態で、電力量を計量させることなく電力量計の接続状態を確認することができ、接続方向の確認作業に際しての安全性の向上を図り、接続方向の確認作業に際しての安全性の向上を図ることができる電力量計を、既存の電子式電力量計の構成を大きく変更することなく実現することができる。
【００２３】
また、この発明にかかる電力量計は、上記の発明において、前記ブレーカー部が、前記第１の端子および前記計量部を電気的に接続する位置と、前記第１の端子および前記計量部を電気的に遮断する位置と、に選択的に位置付けられるレバー部材を備え、前記レバー部材が、当該レバー部材の動作を規制する規制部材が取り付けられる規制部材取付部を備えたことを特徴とする。
【００２４】
この発明によれば、規制部材取付部に規制部材を取り付けてレバー部材の動作を規制することにより、電力を遮断する権限のない者が電力の供給を受ける側において、負荷に供給する電力を不正あるいは不用意に遮断することを防止することができる。
【００２５】
また、この発明にかかる電力量計は、上記の発明において、前記ブレーカー部が、前記第１の端子と前記計量部との間に設けられ、前記第１の端子および前記計量部を電気的に遮断可能に接続する第１のブレーカー部と、前記第２の端子と前記計量部との間に設けられ、前記第２の端子および前記計量部を電気的に遮断可能に接続する第２のブレーカー部と、を備えたことを特徴とする。
【００２６】
この発明によれば、電力を供給する側の都合や、電力の供給を受ける側の都合などに応じて第１のブレーカー部および第２のブレーカー部を操作し、電力の供給状態を適宜変更することができるので、送電停止や接続に際しての作業の容易化を図ることができ、作業者の作業負担を軽減することができる。
【００２７】
また、この発明にかかる電力量計は、上記の発明において、前記第１の端子および前記第２の端子がそれぞれ複数設けられており、前記第１のブレーカー部および前記第２のブレーカー部の少なくとも一方は、前記複数の端子と前記計量部とを一括して電気的に遮断可能に接続することを特徴とする。
【００２８】
この発明によれば、第１の端子と計量部との接続および遮断や、第２の端子と計量部との接続および遮断を、一括しておこなうことができるので、各端子と計量部との電気的な接続や遮断を端子ごとにおこなう場合と比較して接続や遮断に際して作業者にかかる負担を軽減することができる。
【００２９】
また、この発明によれば、たとえば電力の供給状態の変更などに際し、一部の端子と計量部との電気的な接続や遮断をし忘れることを防止し、電力の供給状態を確実に変更することによって、電力量計に対する信頼性の向上を図ることができる。
【００３０】
また、この発明にかかる電力量計は、上記の発明において、前記第２のブレーカー部が、前記負荷を前記電源から切り離す負荷遮断機能を備えたことを特徴とする。
【００３１】
この発明によれば、電力量計において負荷遮断ができるので、契約上使用できる電気の最大容量（契約容量）の変更に際して、電力会社設備とされているブレーカーを電気の供給を受ける側の施設内への設置を不要とすることができ、計量部のみの交換によって対応することができる。
【００３２】
また、この発明によれば、電力量計において負荷遮断ができるので、電力量計に過剰な負荷がかかることによる電力量計の故障を防止することができる。
【００３３】
また、この発明にかかる接続状態確認方法は、電力量計の接続状態を確認する接続状態確認方法であって、電源に接続される第１の端子と負荷に接続される第２の端子との間に設けられ、前記電源から前記負荷に流れた電流に基づいて電力量の積算値を計量する計量部と、前記第１の端子と前記計量部との間に設けられ、前記第１の端子および前記計量部を電気的に遮断可能に接続するブレーカー部と、を備えた電力量計を用いて、前記ブレーカー部によって前記第１の端子および前記計量部を電気的に遮断した状態における、前記第１の端子および前記第２の端子における充電状態によって前記電力量計の接続状態を示すことを特徴とする。
【００３４】
この発明によれば、ブレーカー部によって第１の端子および計量部を電気的に遮断した状態における、第１の端子および第２の端子における充電状態によって電力量計の接続状態を示すことにより、電力の供給を受ける側において電力を消費することなく、電力量計の接続状態を容易に確認することができる。すなわち第１の端子および計量部を電気的に遮断するとともに第２の端子の間に負荷を接続した状態において計量部が計量をおこなっている場合は、電力量計の接続方向が誤っていることを容易に判断することができる。
【発明の効果】
【００３５】
この発明にかかる電力量計および接続状態確認方法によれば、電力量を計量させることなく、安全かつ容易に電力量計の接続状態の確認をおこなうことができるという効果を奏する。
【００３６】
これによって、電力量計の設置に際しての電力の不正使用に対する顧客の不信感を払拭し、電力量計の設置にかかわる業者に対する信頼性の向上を図るとともに、設置された電力量計に対する信頼性の向上を図ることができる。
【図面の簡単な説明】
【００３７】
【図１】この発明にかかる実施の形態の電力量計の外観を示す説明図である。
【図２】接続端子台の外観構造を示す説明図である。
【図３】電力量計の内部結線状態を示す説明図である。
【図４】この発明の実施の形態にかかる電力量計が備えるブレーカー部の構成を示す説明図である。
【発明を実施するための形態】
【００３８】
以下に添付図面を参照して、この発明にかかる電力量計および接続状態確認方法の好適な実施の形態を詳細に説明する。
【００３９】
（実施の形態）
（電力量計の外観）
まず、この発明にかかる実施の形態の電力量計の外観について説明する。この発明にかかる実施の形態の電力量計は、誘導型電力量計であってもよいし、電子式電力量計であってもよく、電力量の計量にかかる構成については特に限定するものではない。図１は、この発明にかかる実施の形態の電力量計の外観を示す説明図である。図１においては、この発明にかかる実施の形態の電力量計を、正面側から見た状態における外観を示している。
【００４０】
図１において、この発明にかかる実施の形態の電力量計１００は、本体部１１０と接続端子台１２０とを備えている。本体部１１０は、箱状の筐体１１１を備えている。筐体１１１の正面側には、電力量計１００の内部を確認できる窓部１１２が設けられている。筐体１１１の内側には、計量部（図３における符号３０１を参照）および表示部が設けられている。
【００４１】
計量部は、電力量計１００に供給された電力量の積算値を計量する。表示部は、計量部が計量した電力量の積算値に関する情報を表示する。表示部における表示内容は、電力量計１００を正面から見た場合に、窓部１１２を介して電力量計１００の外側から視認することができる。計量部の構成は、この発明にかかる実施の形態の電力量計１００が、たとえば誘導型電力量計１００であるか、電子式電力量計１００であるかに応じて異なる。
【００４２】
この発明にかかる実施の形態の電力量計１００が、たとえば誘導型電力量計１００である場合、計量部は、金属材料を用いて形成された回転円盤部材と、電圧コイルと、電流コイルと、を備える。回転円盤部材は、金属材料を用いて円板形状に形成され、円板形状の中心に設けられた回動軸を回動中心として回動可能に設けられている。
【００４３】
電圧コイルは、回転円盤部材の一面側に設けられて、磁心が円板形状部材の回動中心に一致するように配置されている。電流コイルは、回転円盤部材の他面側に設けられて、磁心が円板形状部材の回動中心に一致するように配置されている。
【００４４】
計量部においては、電力量計１００に対して電力が供給されると、電圧コイルに加わる電圧および電流コイルに加わる電流に基づいて、電圧コイルと電流コイルとの間で回転円盤部材を貫くような磁束が発生する。この磁束は、回転円盤部材の回転中心の回りを移動し、この磁束の移動によって回転磁界を発生させる。
【００４５】
回転円盤部材は、この回転磁界を利用して得られる回転トルクによって回転する。誘導型電力量計１００における計量部は、回転円盤部材の回転量に基づいて、電力量計１００に供給された電力量の積算値を計量する。回転トルクは、電力に比例している。誘導型電力量計１００における計量部の構成については、公知の技術であるため説明を省略する。
【００４６】
また、この発明にかかる実施の形態の電力量計１００が、たとえば電子式電力量計１００である場合、計量部は、電力量計１００に対して供給された電力に基づいて、電圧と電流との乗算をおこない、乗算結果を積分することによって電力量計１００に供給された電力量の積算値を計量する。電子式電力量計１００における計量部は、入力変換部と乗算処理部と分周回路部とを備えている。
【００４７】
入力変換部は、供給された電力における電圧レベルおよび電流レベルを、第１の端子および第２の端子間に構成される電子回路の電圧レベルおよび電流レベルに変換する。乗算処理部は、入力変換部によって変換された電圧レベルおよび電流レベルに基づいた乗算処理によって、供給された電力量に比例したパルス信号を生成する。分周回路部は、乗算処理部が生成したパルス信号のクロック周波数を当該クロック周波数よりも低い所定のクロック周波数に変換する。このような計量部は、分周回路部が所定のクロック周波数に変換したパルス信号に基づく積分処理をおこなって電力量の積算値を計量する。
【００４８】
電子式電力量計１００における計量部は、乗算に際して、パルス幅変調をおこなう時分割乗算方式(アナログ乗算）や、ΔΣ・Ａ／Ｄ変換乗算方式(デジタル乗算）などの乗算方式を用いて電力量の積算量を計量する。時分割乗算方式(アナログ乗算）およびΔΣ・Ａ／Ｄ変換乗算方式(デジタル乗算）、電子式電力量計１００における計量部の構成については、公知の各種技術を用いて容易に実現可能であるため説明を省略する。
【００４９】
表示部は、表示画面を備え、当該表示画面を制御して、計量部が計量した電力量の積算値に関する情報を表示する。具体的には、表示部は、計量部が計量した電力量の積算値を示す数値を表示する。表示部は、たとえば０〜９までの数字が振られた、複数桁分のリールを用いて形成される表示画面に、数字によって示す現字形とすることができる。また、表示部は、計量された電力量の積算値を、たとえば指針によって表示する指針形であってもよい。また、表示部は、たとえば液晶ディスプレイなどを用いて表示される０〜９までの複数桁の数字によって、電力量の積算値を示すものであってもよい。
【００５０】
（接続端子台１２０の外観構造）
つぎに、接続端子台１２０の外観構造について説明する。図２は、接続端子台１２０の外観構造を示す説明図である。図２において、接続端子台１２０は、第１の端子１Ｓ、２Ｓ、３Ｓと第２の端子１Ｌ、２Ｌ、３Ｌとを備えている。この実施の形態においては、第１の端子１Ｓ、２Ｓ、３Ｓおよび第２の端子１Ｌ、２Ｌ、３Ｌ、ともに３つずつ設けられている。
【００５１】
第１の端子１Ｓ、２Ｓ、３Ｓは、それぞれ、電源に接続される。電源は電力量計に対する電力の供給元であり、この実施の形態における第１の端子１Ｓ、２Ｓ、３Ｓは、発電所ないし送電線に繋がる配電線に接続されている。第２の端子１Ｌ、２Ｌ、３Ｌは、それぞれ、負荷に接続される。負荷は、電力量計１００を通過した電力を使用する電気機器あるいは電気を使用する設備とすることができる。
【００５２】
第１の端子１Ｓ、２Ｓ、３Ｓのそれぞれには、配電線などの電力線をネジ２０１によって固定することができる。第２の端子１Ｌ、２Ｌ、３Ｌのそれぞれには、負荷側に接続された電力線をネジ２０１によって固定することができる。第１の端子１Ｓ、２Ｓ、３Ｓや第２の端子１Ｌ、２Ｌ、３Ｌに対する電力線の接続に際しては、ネジ２０１を回すため、ドライバーなどの工具を用いる。
【００５３】
図２において、符号２０２は、通信端子を示している。通信端子２０２は、一定の電力量に達するごとにパルス信号を送信するために設けられた端子であって、通信端子２０２を設けることにより電力量を遠隔地でも確認することが可能とされている。通信端子２０２のそれぞれには、通信線をネジ２０１によって固定することができる。電力量計１００における通信端子２０２および通信端子２０２を用いた通信方法については、公知の各種技術を用いて容易に実現可能であるため、説明を省略する。
【００５４】
（電力量計１００の内部結線状態）
つぎに、電力量計１００の内部結線状態について説明する。図３は、電力量計１００の内部結線状態を示す説明図である。図３において、電力量計１００の内部においては、電力量計１００の設置時において電源側とされる第１の端子１Ｓ、２Ｓ、３Ｓと、電力量計１００の設置時において負荷側とされる第２の端子１Ｌ、２Ｌ、３Ｌと、の間に、計量部３０１が設けられている。
【００５５】
計量部３０１は、電力量計１００を介して負荷側に供給された電力量を計量する。計量部３０１は、電力量計１００が誘導型電力量計であるか電子式電力量計であるかによって計量方法が異なるが、いずれの場合も電力量計１００に供給された電力における電圧値および電流値に基づいて電力量を計量することができる。
【００５６】
従来の電力量計の接続状態確認作業に際しては、第２の端子１Ｌおよび第２の端子２Ｌに負荷を接続していた。第２の端子１Ｌと第２の端子２Ｌとの間隔は、１５ｍｍ程度とされている。従来の電力量計の接続状態確認作業に際しては、この１５ｍｍ程度の間隔で隣り合う第２の端子１Ｌおよび第２の端子２Ｌに、ドライバーなどの工具を用いて電力線を固定するため、ドライバーによって短絡が生じることが危惧されていた。
【００５７】
短絡した場合、電力量計１００が備える回路が誤動作したり、電力量計１００が備える回路に設計値を超える大電流が流れたりする。このような場合、電力量計１００が備える回路における半導体、抵抗器、コンデンサなどが異常発熱し、焼損することがある。短絡を回避するためには作業者の慎重な作業が不可欠であり、従来の電力量計の設置に際しては、第２の端子１Ｌおよび第２の端子２Ｌに負荷を接続する作業にかかる作業者の精神的負担が大きかった。
【００５８】
また、従来の電力量計の接続状態確認作業に際しては、たとえば家屋の裏側や隣接する家屋との間などのように電力量計の設置場所が狭いために、ドライバーなどの工具を電力量計の正面から差し込むことが難しく、斜めあるいは横方向からのぞき込むなどの無理な体勢で作業をおこなうことがあった。
【００５９】
このように無理な体勢で、電力線の端子への接続作業をおこなうことにより、ドライバーなどの工具を介して試験用の端子どうしが短絡してしまう危惧が高まるが、上記のように短絡を回避するためには作業者の慎重な作業に依存するところが大きい。このため、従来の電力量計の設置に際しては、第２の端子１Ｌおよび第２の端子２Ｌに負荷を接続する作業にかかる作業者の精神的負担が大きかった。
【００６０】
電力量計を介して負荷に供給される電力は、たとえば電力供給会社と電力量計が設置された施設側との電力供給契約が停止あるいは廃止になった場合に停止する。配電線においては常時電力が流れているため、電力量計を介して電源側と負荷とが電気的に接続されている状態では、電力量計に対して常時電力が供給されることとなる。
【００６１】
該当する施設への電力の供給を停止するためには、電源と負荷との電気的な接続を物理的に遮断する必要がある。従来は、電力供給会社と電力量計が設置された施設側との電力供給契約が停止あるいは廃止になった場合には、第１の端子１Ｓ、２Ｓ、３Ｓにおいて電力線を固定しているネジ２０１を緩めるなどして、電源と負荷との電気的な接続を物理的に遮断している。
【００６２】
電源と負荷との電気的な接続を物理的に遮断する際には、ドライバーなどの工具を用いて該当する端子（第１の端子１Ｓ、２Ｓ、３Ｓ）におけるネジ２０１を緩める。このため、従来は、短絡を回避するための接続の遮断作業にかかる作業者の精神的負担が大きかった。
【００６３】
この実施の形態の電力量計１００は、本体部１１０と接続端子台１２０との間に、ブレーカー部（図４における符号４００を参照）を備えている。ブレーカー部は、第１の端子１Ｓ、２Ｓ、３Ｓと計量部３０１、および、第２の端子１Ｌ、２Ｌ、３Ｌと計量部３０１とを、電気的に遮断可能に接続する。
【００６４】
（ブレーカー部の構成）
つぎに、ブレーカー部の構成について説明する。図４は、この発明の実施の形態にかかる電力量計１００が備えるブレーカー部の構成を示す説明図である。図４において、ブレーカー部４００は、本体部１１０と接続端子台１２０との間に設けられ、第１のブレーカー部４１０と、第２のブレーカー部４２０とを備えている。
【００６５】
第１のブレーカー部４１０は、第１の端子１Ｓ、２Ｓ、３Ｓと計量部３０１との間に設けられ、第１の端子１Ｓ、２Ｓ、３Ｓおよび計量部３０１を電気的に遮断可能に接続する。第１の端子１Ｓ、２Ｓ、３Ｓのそれぞれと計量部３０１との間には、それぞれ、スイッチング素子４１０ａ、４１０ｂ、４１０ｃが設けられている。各スイッチング素子４１０ａ、４１０ｂ、４１０ｃは、それぞれ、第１の端子１Ｓ、２Ｓ、３Ｓと計量部３０１とを電気的に接続する位置、または、第１の端子１Ｓ、２Ｓ、３Ｓと計量部３０１との電気的な接続を遮断する位置、のいずれか一方に選択的に位置付けられる。
【００６６】
各スイッチング素子４１０ａ、４１０ｂ、４１０ｃには、第１のレバー部材４１１が接続されている。第１のレバー部材４１１は、計量部３０１に対して、各スイッチング素子４１０ａ、４１０ｂ、４１０ｃのすべてを電気的に接続する位置と、各スイッチング素子４１０ａ、４１０ｂ、４１０ｃのすべての電気的な接続を遮断する位置と、のいずれか一方に選択的に位置付けられる。
【００６７】
第１のブレーカー部４１０においては、第１のレバー部材４１１の１回の操作によって、第１の端子１Ｓ、２Ｓ、３Ｓと計量部３０１との電気的な接続および遮断を一括しておこなうことができる。この実施の形態においては、第１のレバー部材４１１によってこの発明にかかるレバー部材を実現することができる。
【００６８】
第１のレバー部材４１１は、規制部材取付部４１１ａが設けられている。規制部材取付部４１１ａは、第１のレバー部材４１１を貫通するように設けられた孔形状をなしている。規制部材取付部４１１ａには、規制部材としての封印具４１３が挿入される。封印具４１３は、たとえば電力量計の筐体１１１の開閉を規制するために従来用いている既存の封印具を用いることができる。既存の封印具４１３については公知の技術であるため説明を省略する。
【００６９】
第１のブレーカー部４１０において、規制部材取付部４１１ａの近傍には、孔４１４が設けられている。孔４１４には、規制部材取付部４１１ａに挿入された封印具４１３が通される。孔４１４に代えて、リング状の部材であってもよい。規制部材取付部４１１ａおよび孔４１４に封印具４１３を通し、封印具４１３の両端を封印することによって、第１のレバー部材４１１の動作を規制することができる。
【００７０】
第１のレバー部材４１１の動作を封印具４１３によって規制することにより、第１のレバー部材４１１の操作は、電力供給会社など、第１のレバー部材４１１の操作が許可された作業者に限定することができ、第１のレバー部材４１１が不正に操作されることを防止することができる。
【００７１】
第２のブレーカー部４２０は、第２の端子１Ｌ、２Ｌ、３Ｌと計量部３０１との間に設けられ、第２の端子１Ｌ、２Ｌ、３Ｌおよび計量部３０１を電気的に遮断可能に接続する。第２の端子１Ｌ、２Ｌ、３Ｌのそれぞれと計量部３０１との間には、それぞれ、スイッチング素子４２０ａ、４２０ｂ、４２０ｃが設けられている。各スイッチング素子４２０ａ、４２０ｂ、４２０ｃは、それぞれ、第２の端子１Ｌ、２Ｌ、３Ｌと計量部３０１とを電気的に接続する位置、または、第２の端子１Ｌ、２Ｌ、３Ｌと計量部３０１との電気的な接続を遮断する位置、のいずれか一方に選択的に位置付けられる。
【００７２】
各スイッチング素子４２０ａ、４２０ｂ、４２０ｃには、第２のレバー部材４１２が接続されている。第２のレバー部材４１２は、計量部３０１に対して、各スイッチング素子４２０ａ、４２０ｂ、４２０ｃのすべてを電気的に接続する位置と、各スイッチング素子４２０ａ、４２０ｂ、４２０ｃのすべての電気的な接続を遮断する位置と、のいずれか一方に選択的に位置付けられる。
【００７３】
第２のブレーカー部４２０においては、第２のレバー部材４１２の１回の操作によって、第２の端子１Ｌ、２Ｌ、３Ｌと計量部３０１との電気的な接続および遮断を一括しておこなうことができる。第２のブレーカー部４２０においては、第２のレバー部材４１２を、各スイッチング素子４２０ａ、４２０ｂ、４２０ｃのすべての電気的な接続を遮断する位置に位置付けることにより、第２の端子１Ｌ、２Ｌ、３Ｌに接続された負荷を電源から切り離す負荷遮断機能を実現することができる。
【００７４】
第２のレバー部材４１２においては、上記の規制部材取付部４１１ａおよび孔４１４に相当する機構を設けてもよい。この場合、第２のレバー部材４１２に設けられた規制部材取付部４１１ａおよび孔４１４に、封印具４１３を挿入し、第２のレバー部材４１２の動作を規制することによって、第２のレバー部材４１２が不用意に操作されることを防止できる。
【００７５】
上記の電力量計１００の設置に際しては、電力の供給を受ける施設に電力量計１００を取り付け、取り付けた電力量計１００の各端子１Ｓ、２Ｓ、３Ｓ、１Ｌ、２Ｌ、３Ｌにそれぞれ該当する電力線を固定し、電源と電力量計１００および電源と負荷とを電気的に接続する。そして、取り付けた電力量計の接続状態を確認する接続状態確認作業をおこなう。
【００７６】
接続状態確認作業は、まず、第１のブレーカー部４１０における第１のレバー部材４１１を、各スイッチング素子４１０ａ、４１０ｂ、４１０ｃのすべての電気的な接続を遮断する位置に位置付ける。このとき、第２のブレーカー部４２０における第２のレバー部材４１２は、各スイッチング素子４２０ａ、４２０ｂ、４２０ｃのすべてを電気的に接続する位置に位置付ける。
【００７７】
つぎに、検電器を用いて、第１の端子１Ｓ、２Ｓ、３Ｓおよび第２の端子１Ｌ、２Ｌ、３Ｌが、電気を帯びているか否かを判別する、いわゆる充電状態の検電をおこなう。検電器は、検電対象となる部位（この場合は、第１の端子１Ｓ、２Ｓ、３Ｓおよび第２の端子１Ｌ、２Ｌ、３Ｌ）が電気を帯びているか否かを判別する行為である検電に用いる電気計測器であって、広く知られている。
【００７８】
この実施の形態の電力量計１００の設置に際しての接続状態確認作業は、はく検電器、ネオン式検電器、風車式検電器、電子式検電器、など公知の各種の検電器を用いることができる。近年、検電機能を備えたドライバー状の検電器や筆記具状とされた検電器も存在しており、検電に際してはこれらの検電器を用いてもよい。
【００７９】
はく検電器、ネオン式検電器、風車式検電器などは、原理上、検電器を動作させるための電源は不要であるため、狭い作業環境においておこなう接続状態確認作業に適している。はく検電器、ネオン式検電器、風車式検電器、電子式検電器などの各種の検電器については、公知の技術であるため説明を省略する。
【００８０】
検電に際しては、検電器を用いて充電状態を判断することに加えて、電圧計を用いて充電状態を判断するようにしてもよい。これにより、検電器のみを用いて充電状態を判断する場合と比較して、検電結果に対する信頼性を向上させることができる。検電器のみによって検電をおこなう場合にも、検電作業の事前に、検電器チェッカを利用するなどして検電器が正常に動作することを確認しておくことにより、検電結果に対する信頼性を確保することができる。
【００８１】
電力量計１００が正しく接続されている状態で、第１のブレーカー部４１０によって第１の端子１Ｓ、２Ｓ、３Ｓおよび計量部３０１を電気的に遮断した場合、第１の端子１Ｓ、２Ｓ、３Ｓが充電状態となり、第２の端子１Ｌ、２Ｌ、３Ｌが非充電状態となる。このため、第１の端子１Ｓ、２Ｓ、３Ｓおよび第２の端子１Ｌ、２Ｌ、３Ｌのそれぞれに対する検電をおこなうことによって、電力量計１００の接続状態を確認することができる。
【００８２】
検電に際しては、第１のブレーカー部４１０によって第１の端子１Ｓ、２Ｓ、３Ｓおよび計量部３０１の電気的な接続が遮断されているので、計量部３０１に対して電力を供給することなく、すなわち電力量を計量させることなく電力量計１００の接続状態を確認することができる。
【００８３】
検電作業が完了し、電力量計１００が正しく接続されていることを確認した後、ブレーカー部４１０における第１のレバー部材４１１を、各スイッチング素子４１０ａ、４１０ｂ、４１０ｃのすべてを電気的に接続する位置に位置付ける。これにより、電源と負荷とが電力量計１００を介して電気的に接続され、負荷に対して電力を供給することができる。その後、第１のレバー部材４１１における規制部材取付部４１１ａおよび孔４１４に封印具４１３を通し、第１のレバー部材４１１の動作を封印具４１３によって封印する。
【００８４】
以上説明したように、この実施の形態の電力量計１００は、電源に接続される第１の端子１Ｓ、２Ｓ、３Ｓと負荷に接続される第２の端子１Ｌ、２Ｌ、３Ｌとの間に設けられ、電源から負荷に流れた電流に基づいて電力量の積算値を計量する計量部３０１と、第１の端子１Ｓ、２Ｓ、３Ｓと計量部３０１との間に設けられ、第１の端子１Ｓ、２Ｓ、３Ｓおよび計量部３０１を電気的に遮断可能に接続するブレーカー部４００（第１のブレーカー部４１０）と、を備えたことを特徴としている。
【００８５】
この実施の形態の電力量計１００によれば、電力量計１００が正しく接続されている状態で、ブレーカー部４００（第１のブレーカー部４１０）によって第１の端子１Ｓ、２Ｓ、３Ｓおよび計量部３０１を電気的に遮断した場合、第１の端子１Ｓ、２Ｓ、３Ｓが充電状態となり、第２の端子１Ｌ、２Ｌ、３Ｌが非充電状態となる。このため、第１の端子１Ｓ、２Ｓ、３Ｓおよび第２の端子１Ｌ、２Ｌ、３Ｌのそれぞれに対する検電をおこなうことによって電力量計１００の接続状態を確認することができるので、計量部３０１に対して電力を供給することなく、すなわち電力量を計量させることなく電力量計１００の接続状態の正誤を確認することができる。
【００８６】
また、この実施の形態の電力量計１００によれば、電力量計１００の接続状態の確認作業に際しては、汎用的な検電器を用いて第１の端子１Ｓ、２Ｓ、３Ｓおよび第２の端子１Ｌ、２Ｌ、３Ｌのそれぞれに対する検電をおこなうことによって電力量計１００の接続状態の正誤を確認することができるので、接続方向の確認作業の容易化を図ることができる。
【００８７】
また、この実施の形態の電力量計１００によれば、ブレーカー部４００（第１のブレーカー部４１０）によって第１の端子１Ｓ、２Ｓ、３Ｓおよび計量部３０１を電気的に遮断した状態で、第１の端子１Ｓ、２Ｓ、３Ｓおよび第２の端子１Ｌ、２Ｌ、３Ｌに対する検電をそれぞれ個別におこなうことにより、電力量計１００の接続状態の正誤を確認することができる。これにより、第１の端子１Ｓ、２Ｓ、３Ｓや第２の端子１Ｌ、２Ｌ、３Ｌの間における短絡、および、この短絡を原因とする事故の発生をなくし、接続方向の確認作業に際しての安全性の向上を図ることができる。
【００８８】
このように、この実施の形態の電力量計１００によれば、電力量を計量させることなく、安全かつ容易に電力量計１００の接続状態の確認をおこなうことができる。これによって、電力量計１００の設置に際しての電力の不正使用に対する顧客の不信感を払拭し、電力量計１００の設置にかかわる業者に対する信頼性の向上を図るとともに、設置された電力量計１００に対する信頼性の向上を図ることができる。
【００８９】
また、この実施の形態の電力量計１００は、計量部３０１が、金属材料を用いて円板形状に形成され、円板形状の中心に設けられた回動軸を回動中心として回動可能に設けられた回転円盤部材と、回転円盤部材の一面側に設けられて、磁心が円板形状部材の回動中心に一致するように配置された電圧コイルと、回転円盤部材の他面側に設けられて、磁心が円板形状部材の回動中心に一致するように配置された電流コイルと、を備え、供給された電力量にしたがって回転する回転円盤部材の回転量に基づいて電力量の積算値を計量することを特徴としている。
【００９０】
このように、電力量計１００が誘導型電力量計である場合は、ブレーカー部４００（第１のブレーカー部４１０）によって第１の端子１Ｓ、２Ｓ、３Ｓと計量部３０１とを電気的に遮断した状態においては、第１の端子１Ｓ、２Ｓ、３Ｓが充電状態となり、第２の端子１Ｌ、２Ｌ、３Ｌが非充電状態となる。
【００９１】
このため、誘導型電力量計の電力量計１００によれば、汎用的な誘導型電力量計における計量部３０１と第１の端子１Ｓ、２Ｓ、３Ｓとの間に、ブレーカー部４００（第１のブレーカー部４１０）を設けることによって、電力量を計量させることなく電力量計の接続状態の正誤を確認することができる。これによって、接続方向の確認作業に際しての安全性の向上を図り、接続方向の確認作業に際しての安全性の向上を図ることができる電力量計を、既存の誘導型電力量計の構成を大きく変更することなく実現することができる。
【００９２】
また、この実施の形態の電力量計１００は、表示画面を有し、当該表示画面を制御して計量部が計量した電力量の積算値に関する情報を表示する表示部を備え、計量部が、供給された電力における電圧レベルおよび電流レベルを、第１の端子１Ｓ、２Ｓ、３Ｓおよび第２の端子１Ｌ、２Ｌ、３Ｌの間に構成される電子回路の電圧レベルおよび電流レベルに変換する入力変換部と、入力変換部によって変換された電圧レベルおよび電流レベルに基づいた乗算処理によって、供給された電力量に比例したパルス信号を生成する乗算処理部と、乗算処理部が生成したパルス信号のクロック周波数を当該クロック周波数よりも低い所定のクロック周波数に変換する分周回路部と、分周回路部が所定のクロック周波数に変換したパルス信号に基づく積分処理をおこなって電力量の積算値を計量することを特徴としている。
【００９３】
このように、電力量計１００が電子式電力量計である場合は、第２の端子１Ｌ、２Ｌ、３Ｌに負荷を接続せずブレーカー部４００（第１のブレーカー部４１０）によって第１の端子１Ｓ、２Ｓ、３Ｓと計量部３０１とを電気的に接続した状態において、電力量の積算値に関する情報として「無計量」であることを示す情報が表示画面に表示される。また、電力量計１００が電子式電力量計である場合は、ブレーカー部４００（第１のブレーカー部４１０）によって第１の端子１Ｓ、２Ｓ、３Ｓと計量部３０１とを電気的に遮断して計量部３０１に対する電力の供給を停止した場合、電力量の積算値に関する情報として「停電」であることを示す情報が表示画面に表示される。
【００９４】
このため、電子式電力量計の電力量計１００によれば、汎用的な電子式電力量計における計量部３０１と第１の端子１Ｓ、２Ｓ、３Ｓとの間に、ブレーカー部４００（第１のブレーカー部４１０）を設けることによって、電力量を計量させることなく電力量計の接続状態を確認することができ、接続方向の確認作業に際しての安全性の向上を図り、接続方向の確認作業に際しての安全性の向上を図ることができる電力量計１００を、既存の電子式電力量計の構成を大きく変更することなく実現することができる。
【００９５】
また、電子式電力量計の電力量計１００によれば、電圧変動、電流変動、周波数変動の影響を受けず、設置された電力量計の傾斜角度にかかわらず電力量を計量できる電子式電力量計の利点を維持した状態で、電力量を計量させることなく電力量計１００の接続状態を確認することができ、接続方向の確認作業に際しての安全性の向上を図り、接続方向の確認作業に際しての安全性の向上を図ることができる電力量計１００を、既存の電子式電力量計の構成を大きく変更することなく実現することができる。
【００９６】
また、この実施の形態の電力量計１００は、第１のブレーカー部４１０が、第１の端子１Ｓ、２Ｓ、３Ｓおよび計量部３０１を電気的に接続する位置と、第１の端子１Ｓ、２Ｓ、３Ｓおよび計量部３０１を電気的に遮断する位置と、に選択的に位置付けられる第１のレバー部材４１１を備え、この第１のレバー部材４１１に、当該第１のレバー部材４１１の動作を規制する封印具４１３が取り付けられる規制部材取付部４１１ａが設けられていることを特徴としている。
【００９７】
この実施の形態の電力量計１００によれば、規制部材取付部４１１ａに封印具４１３を取り付けて第１のレバー部材４１１の動作を規制することにより、電力を遮断する権限のない者が電力の供給を受ける側において、負荷に供給する電力を不正あるいは不用意に遮断することを防止することができる。
【００９８】
また、この実施の形態の電力量計１００は、ブレーカー部４００が、第１の端子１Ｓ、２Ｓ、３Ｓと計量部３０１との間に設けられ、第１の端子１Ｓ、２Ｓ、３Ｓおよび計量部３０１を電気的に遮断可能に接続する第１のブレーカー部４１０と、第２の端子１Ｌ、２Ｌ、３Ｌと計量部３０１との間に設けられ、第２の端子１Ｌ、２Ｌ、３Ｌおよび計量部３０１を電気的に遮断可能に接続する第２のブレーカー部４２０と、を備えたことを特徴としている。
【００９９】
この実施の形態の電力量計１００によれば、電力を供給する側の都合や、電力の供給を受ける側の都合などに応じて第１のブレーカー部４１０における第１のレバー部材４１１および第２のブレーカー部４２０における第２のレバー部材４１２を操作し、電力の供給状態を適宜変更することができる。これによって、送電停止や接続に際しての作業の容易化を図ることができ、作業者の作業負担を軽減することができる。
【０１００】
また、この実施の形態の電力量計１００は、第１の端子１Ｓ、２Ｓ、３Ｓおよび第２の端子１Ｌ、２Ｌ、３Ｌがそれぞれ複数設けられており、第１のブレーカー部４１０および第２のブレーカー部４２０が、それぞれ複数の端子１Ｓ、２Ｓ、３Ｓおよび１Ｌ、２Ｌ、３Ｌと計量部３０１とを一括して電気的に遮断可能に接続することを特徴としている。
【０１０１】
この実施の形態の電力量計１００によれば、第１の端子１Ｓ、２Ｓ、３Ｓと計量部３０１との接続および遮断や、第２の端子１Ｌ、２Ｌ、３Ｌと計量部３０１との接続および遮断を、一括しておこなうことができるので、各端子１Ｓ、２Ｓ、３Ｓおよび１Ｌ、２Ｌ、３Ｌと計量部３０１との電気的な接続や遮断を端子１Ｓ、２Ｓ、３Ｓおよび１Ｌ、２Ｌ、３Ｌごとに個別におこなう場合と比較して、接続や遮断に際して作業者にかかる負担を軽減することができる。
【０１０２】
また、この実施の形態の電力量計１００によれば、たとえば電力の供給状態の変更などに際し、第１の端子１Ｓ、２Ｓ、３Ｓおよび第２の端子１Ｌ、２Ｌ、３Ｌにおける一部の端子と計量部３０１との電気的な接続や遮断をし忘れることを防止し、電力の供給状態を確実に変更することができる。これによって、電力量計１００に対する信頼性の向上を図ることができる。
【０１０３】
また、この実施の形態の電力量計１００は、第２のブレーカー部４２０が、負荷を電源から切り離す負荷遮断機能を備えたことを特徴としている。この実施の形態の電力量計１００によれば、電力量計１００において負荷遮断ができるので、契約上使用できる電気の最大容量（契約容量）の変更に際して、電力会社設備とされているブレーカーを電気の供給を受ける側の施設内への設置を不要とすることができ、計量部３０１のみの交換によって対応することができる。
【０１０４】
また、この実施の形態の電力量計１００によれば、電力量計１００において負荷遮断ができるので、電力量計１００に過剰な負荷がかかることによる電力量計１００の故障を防止することができる。これによって、電力量計１００に対する信頼性の向上を図ることができる。
【０１０５】
また、この実施の形態の電力量計１００を用いた当該電力量計１００の接続状態確認方法は、ブレーカー部４００（第１のブレーカー部４１０）によって第１の端子１Ｓ、２Ｓ、３Ｓおよび計量部３０１を電気的に遮断した状態における、第１の端子１Ｓ、２Ｓ、３Ｓおよび第２の端子１Ｌ、２Ｌ、３Ｌにおける充電状態（帯電状態）によって電力量計１００の接続状態を示すことを特徴としている。
【０１０６】
このような方法によって電力量計１００の接続状態の正誤を確認することにより、電力の供給を受ける側において電力を消費することなく、電力量計１００の接続状態を容易に確認することができる。すなわち第１の端子１Ｓ、２Ｓ、３Ｓおよび計量部３０１を電気的に遮断するとともに第２の端子１Ｌ、２Ｌ、３Ｌの間に負荷を接続した状態において計量部３０１が計量をおこなっている場合は、電力量計１００の接続方向が誤っていることを容易に判断することができる。
【産業上の利用可能性】
【０１０７】
以上のように、本発明にかかる電力量計および当該電力量計の接続状態確認方法は、接続された負荷に供給された電力量を計量する電力量計および当該電力量計の接続状態確認方法に有用であり、特に、電力量計の設置対象となる家屋が建築中の新築家屋である場合など、電力量計を設置したにもかかわらず当該電力量計を通過した電力を使用する負荷となる設備がない場所に設置される電力量計および当該電力量計の接続状態確認方法に適している。
【符号の説明】
【０１０８】
１Ｓ、２Ｓ、３Ｓ  第１の端子
１Ｌ、２Ｌ、３Ｌ  第２の端子
１００  電力量計
３０１  計量部
４００  ブレーカー部
４１０  第１のブレーカー部
４１０ａ、４１０ｂ、４１０ｃ  スイッチング素子
４１１  第１のレバー部材
４１１ａ  規制部材取付部
４１２  第２のレバー部材
４１３  封印具
４１４  孔
４２０  第２のブレーカー部
４２０ａ、４２０ｂ、４２０ｃ  スイッチング素子
【図１】
2010169531.tif 000003
【図２】
2010169531.tif 000004
【図３】
2010169531.tif 000005
【図４】
2010169531.tif 000006